(57)【要約】      （修正有）【課題】以下の３点を実現する育苗用具及び植栽用具を提供する。(１)育苗用具を引抜き回収して根系の成長阻害と環境汚染がなく、再使用により低コスト化が図れる。(２)灌水や雨水の多くは根鉢周りを下垂浸透することが出来る。(３)植栽苗の根系は安定土壌層の水を吸水することが出来る。【解決手段】開口パイプ２が長軸方向に分割され引抜き取付け部３が形成された育苗用具１と、先端に開閉部が形成された中空オーガ２５等からなる掘削用具２０、及び育苗用具１の引抜き体取付け部に取り付け可能な取付け部品４１とワイヤー４２とを備える植栽用具。【選択図】図５
2020103206.tif 000002
【特許請求の範囲】
【請求項１】
開口パイプが長軸に沿って分離可能に分割され、分割された各々のパイプの上部に孔又は凹凸からなる引抜体取付け部が設けられている事を特徴とする育苗用具。
【請求項２】
掘削用具と引抜き体とを備え、
前記掘削用具は、回転ジョイントと中空オーガとを備え、
前記回転ジョイントは回転手段、オーガホルダー及び重機接続部を備え、
前記中空オーガは、請求項１に記載の育苗用具が挿入可能な中空径を有し、下方にはヒンジを介して開閉ヘッドが、外周には螺旋状にスクリュー羽根が形成され
前記引抜き体は、前記育苗用具の引抜き体取付け部に取り付け可能な取付け部品とワイヤーとを備えることを特徴とする植栽用具。  
【請求項３】
前記オーガホルダーの外周にレーキブレードが配備されていることを特徴とする、請求項２に記載の植栽用具。
【発明の詳細な説明】
【技術分野】
【０００１】
本発明は、乾燥地緑化を目的とした長根苗の育苗・植栽用具に関する
【背景技術】
【０００２】
乾燥地・半乾燥地（以下「乾燥地」という）では、一定深度（概ね３０〜１００cm）以下には乾季や雨季にも地表の影響を受けない比較的安定した温度や含水率の層（以下「安定土壌層」という）が存在し、植物の根の深さと生存率は相関する、事が知られている。
【０００３】
そのため、乾燥地緑化法として、植栽苗の根系を安定土壌層に早期に到達させるために深い孔を掘り長い根系の苗（以下「長根苗」という）を植え付ける方法が提案されている。
【０００４】
しかし、クワやシャベルで深い孔を掘るには穴壁の崩壊のため大口径の孔を掘らざるを得ず大量の土砂の掘削と埋め戻しが必要であり多大な労力を要する。また、灌水や雨水の多くは大量の埋め戻し土壌に浸透し地表付近に留まる。植栽苗は根の水分屈性により地表近傍で根系を発達させる結果、乾季での高温や水ストレスにより生存率が低下する。
【０００５】
そのため乾燥地緑化では以下の様な簡便で低コスト植栽技術が望まれている。
(１)安定土壌層に到達可能な小口径の深い掘削孔に長根苗を根系の損傷なく植栽し、安定土壌層に早期に到達させる。
(２)根系が下方伸長する様に、灌水や雨水を水平方向でなく垂直方向に浸透させる。
【０００６】
特許文献１（段落番号００４１,００５１,００５８,図３,４）には、開口筒体と蓋材及びその内部の育成材料からなる短期育成用具にて長尺根を有する植物苗を傾斜して育成し、植物苗入り短期育成用具を定植地のボーリング穴に埋め込む、技術が開示されている。開口筒体はそのまま放置されるので生分解性材料が好ましいとされ、蓋材のみを回収するのは工程的に煩雑となるので同様な生分解性材料から構成されるのが望ましいとされる。
【０００７】
特許文献２(段落番号０００４,００１３〜００２１、図２,７,８,９)には、先端の開口部が開閉可能な中空オーガによる掘削に併せて外筒と外サックを地中に押し込み、播種又は苗の植付けがなされた内サックを中空オーガの投入口から投入し開口部を押し開いて着床させ、内外サックを植え付ける作業機、が開示されている。
【先行技術文献】
【特許文献】
【０００８】
【特許文献１】特開２００８-２１２０００号公報
【特許文献２】特開２００２-２１８８０３号公報
【発明の概要】
【発明が解決しようとする課題】
【０００９】
特許文献１に記載の生分解性短期育成材料は乾燥地ではタイムリーに生分解せず、特許文献２記載のプラスチック製内サック及び外サックと同様に使い捨てのため、コスト高となり、根系成長を阻害し、環境汚染源となる。
【００１０】
特許文献２に記載の作業機では、中空オーガ、外筒、外サック、内サックからなる多くの用具と作業工程が必要である。特に金属製の外筒に外嵌掛止したプラスチック製の外サックを共に地中に押し込むには両者を密着させる必要があるが、地上で密着外嵌掛止し地中で外筒のみを抜去するのは困難である。
【００１１】
特許文献１、２のいずれに記載のものでも、播種または苗植付けされた植物は短期育成用具又は外サックによって雨水や安定土壌層水の吸水が阻害される。
【００１２】
そこで、本発明は、以下の３点を実現する育苗用具及び植栽用具を提供することを課題とする。
（１）育苗用具を引抜き回収する事で根系の成長阻害と環境汚染がなく、再使用により低コスト化が図れる。（２）灌水や雨水の多くは根鉢周りを垂直方向に下垂浸透することが出来る。（３)植栽苗の根系は安定土壌層の水を吸水することが出来る。
【課題を解決するための手段】
【００１３】
開口パイプが長軸方向に分割され引抜き取付け部が形成された育苗用具、先端に開閉部が形成された中空オーガ等からなる掘削用具、及び育苗用具と掘削用具を接続可能な取付け体により、
（１）長根苗を育苗した育苗用具を、（２）植栽地に掘削貫入した中空オーガの中空部に挿入し、開閉部を開口して掘削孔底に到達させ、（３）中空オーガを逆回転して投入土壌を圧密しながら引揚げ、（４）育苗用具の引抜き取付け部に引抜き体の取付け部品を取り付け、引抜き体と共に長根苗を地中に残して育苗用具のみを引抜き、引抜き跡に筒状空隙層を形成する。
【００１４】
これにより、上記課題を解決することができる。具体的な解決方法については、「第一の態様」「第二の態様」「第三の態様」として後述する。
【発明の効果】
【００１５】
本発明によれば、（１）育苗用具を引抜き回収するので根系の成長阻害と環境汚染がなく、再使用により低コスト化が図れる。（２）灌水や雨水の多くは圧密土壌部に遮られ内側の筒状空隙層を下垂する。（３）植栽苗の根系は安定土壌層の水を筒状圧密層を毛細管現象により透過して吸水することが出来る。
【図面の簡単な説明】
【００１６】
【図１】図１は、本発明の第一の態様に係る育苗用具を示す図である。図１（ａ）は、育苗用具の斜視図（長軸が短縮された図）である。図１（ｂ）は、育苗用具の平面図である。
【図２】図２は、育苗用具による長根苗の育苗の構成図（長軸が短縮された斜視図）である。
【図３】図３は、掘削用具と引抜き体からなる植栽用具の側面図である。
【図４】図４は、掘削用具を重機に接続した側面図である。
【図５】図５は、植栽作業の工程図である。
【図６】図６は、オーガホルダーの外周にレーキブレードが配備された植栽用具である。図６（ａ）は、側面図である。図６（ｂ）は、平面図（Ｘ軸下方の切断面図）である。
【発明を実施するための形態】
【００１７】
本発明の第一の態様は、
開口パイプが長軸に沿って分離可能に分割され、分割された各々のパイプの上部に孔又は凹凸からなる引抜体取付け部３が設けられている事を特徴とする育苗用具１である。
【００１８】
以下、図面を参照しつつ説明する。図１は育苗用具１を示し、両端に穴の開いたパイプが長軸方向に概略半分に分割され、分割パイプ２の上部に引抜き用具取付け部３の孔が形成されている。
【００１９】
元のパイプの形状は特に限定はなく、四角や多角形も使用可能である。パイプの長さは植栽地の安定土壌層に到達可能な長さ以上が好ましく、３０cm以上、好ましくは５０cm以上、より好ましくは１００cm以上である。
【００２０】
引抜き用具取付け部３は引抜き体４０の取付け部品４１であるＳ字フックを挿入する孔である。孔以外にネジ状の突起等取付け固定凹凸物であればなんでも良い。
【００２１】
図２は育苗容器１による長根苗６０の育苗方法を示す。図２（ａ）は吊り下げ育苗方法の構成図を示し、図２(ｂ)は付属部品を示す。分割パイプの上部をサドルバンド４ａで結束し、中部と下部を結束バンド４ｂで結束し、底部はメッシュ５で覆い折り返し部を結束バンド４ｂで結束し、サドルバンド４ａのサドル部をロープ等で吊り下げて育苗する。
本実施例の吊り下げ育苗以外に定置育苗も可能である。
【００２２】
育苗は、前記結束分割パイプの内部に用土を充填し、播種或いは幼苗を移植し、適時施肥・灌水を行い、所定の長さの根系を持つ長根苗６０を育苗する。用土はピートモス、ココナッツハスク等の繊維質有機物を用いる事で水はけ、保水性及び軽量性を両立することが出来る。なお、育苗は、根系の垂直下方成長のため底面灌水が好ましい。
【００２３】
本発明の第二の態様は、
掘削用具２０と引抜き体４０とを備え、
掘削用具２０は、回転ジョイント２１と中空オーガ２５とを備え、
回転ジョイント２１は回転手段、オーガホルダー２３及び重機接続部２４を備え、
中空オーガ２５は、育苗用具１が挿入可能な中空径を有し、下方にはヒンジ２６を介して開閉ヘッド２７が、外周には螺旋状にスクリュー羽根２８が形成され
前記引抜き体４０は、前記育苗用具１の引抜き体取付け部３に取り付け可能な取付け部品４１とワイヤー４２とを備えることを特徴とする植栽用具１０である。
【００２４】
図３に示す通り、植栽用具１０は掘削用具２０と引抜き体４０からなる。掘削用具２０は回転ジョイント２１と中空オーガ２５からなり、両者はメス・オス構造、ピン結合等の通例の方法により装着・脱離可能となっている。
【００２５】
回転ジョイント２１は回転手段２２、オーガホルダー２３、重機接続部２４からなる。回転手段２２は、油圧モーター或いは電動モーターからなりベルトやプーリーなどの回転伝達手段（図示省略）を介してオーガホルダー２３を回転させる。
【００２６】
中空オーガ２５は、育苗容器１が挿入可能な径を有する中空状で、下方にヒンジ２６を介して開閉ヘッド２７が取り付けられ、外周に螺旋状のスクリュー羽根２８が形成されている。開閉ヘッド２７は逆円錐形状で、母線方向に延びる分割線によって周上で複数に分割されると共に各分割片の上端がそれぞれ独立してヒンジ連結され、それにより開閉ヘッド２７が分割片毎に開閉自在となっている。掘削中は周囲の土圧により閉口し、下方に空間がある状態で育苗用具１が挿入されると開口して育苗用具１が貫通可能となる。
【００２７】
引抜き体４０は、長根苗入り育苗用具１を地中に挿入後、長根苗を残して育苗用具１だけを地中から引抜くために使用される。取付け部品４１であるＳ字フックを育苗用具取付け部３の孔に差し込み、掘削用具２０を上昇させて育苗用具１を引抜く。取付け部品４１はＳ字フック以外に、引抜き用具取付け部３に固定できるものであればなんでも良い。引抜き体４０の回転ジョイント２１への配備は常時或いは育苗用具１の引抜き時に、ワイヤー４２を回転ジョイント２１に掛け渡す様に、配備される。配備部位として回転ジョイント２１以外に、掘削用具２０が接続された重機のブーム或いはアーム等の昇降手段５２に配備する事も可能である。配備部位に育苗容器１の外径以上の間隔を有する２点の突起を設け、ワイヤー４２に連結された取付け部品４１を両突起間の外縁から下垂する事が望ましい。
【００２８】
図４は掘削用具２０の重機５０への取付け事例を示す。掘削用具２０の重機接続部２４と重機５０のアタッチメント取り付け部５５及び油圧ホース５６が通例の重機のアタッチメント接続方法に倣い接続される。その結果、植栽用具２０の回転手段２２、重機５０に具備された操作手段５１、昇降手段５２、走行手段５３が操作可能となる。以降説明は本状態を前提とする。
【００２９】
図５は、育苗用具１及び植栽用具１０を用いた植栽作業工程である。
（１）前記長根苗６０入り育苗用具１を植栽地に移動させる。育苗に使用された拘束体４やメッシュ５は植栽前或いは植栽途中に除去する。
（２）昇降手段５２により掘削用具２０を下降、中空オーガ２５を正回転させ地中への掘削貫入を行い、掘削土壌７３を地上に排出する。
（３）中空オーガ２５を所定の深さに掘削貫入後、開閉ヘッド２７の概略高さ上昇させると開閉ヘッドの下部に掘削空間が生じる。その状態で長根苗入り育苗用具１を中空貫通オーガホルダー２３の上端から挿入し開閉ヘッド２７ｂを開口通過させ掘削穴の下端或いは所定深さに到達させる。
（４）掘削土壌７３等を中空オーガ２５の周りに投入しながら中空オーガ２５を逆回転・上昇させる。中空オーガ２５の上昇速度よりも逆回転ピッチ速度（=スクリュー羽根のピッチ×回転速度）を早くすると投入土壌はスクリュー羽根２８により下方に送出され育苗用具１の外周に筒状圧密層７４が形成される。
（５）引抜き体４０のワイヤー４２を回転ジョイント２１に下垂ワイヤー間の間隔が育苗用具の外径よりも広くなるように配備し、取付け部品４１であるS字フックを引抜き用具取付け部３の孔に挿入し、昇降手段５２を上昇させて長根苗６０を地中に残置したまま育苗用具１を引き裂く様に地中より引き抜く。
【００３０】
前記（４）及び（５）の作業により、植栽された長根苗６０の根鉢６２の外周に筒状空隙層７５、最外周に筒状圧密層７４が形成され、植栽された長根苗６０への灌水や雨の多くは最外周の筒状圧密層７４に遮られ筒状空隙層７５を下垂浸透する。筒状空隙層７５への土壁の崩落や低密度の埋め戻しの後も、筒状空隙層７５は粗密土壌層となり土壌密度に差があるので灌水や雨水は同様に下垂浸透する。
【００３１】
植栽された長根苗６０の成長に伴う葉の蒸散作用により、水ポテンシャルは葉＜茎＜根鉢６２＜低含水土壌７４,７５＜高含水土壌７２  の勾配差が生じる。その結果、植栽長根苗の根鉢６２は安定土壌層７２の水分を筒状圧密層７５を毛細管現象により透過して吸水可能となる。
【００３２】
本発明の第三の態様は、
オーガホルダー２３の外周にレーキブレード２９が配備されている事を特徴とする植栽用具２０である。
【００３３】
図６(ａ）(ｂ)に示す様に、回転ジョイント２１ａのみが重機接続部２４を介して重機５０に接続されている。オーガホルダー２３の外周下部にレーキブレード２９が接合され先端は逆回転方向内側に湾曲されている。植栽工程作業に先立って、回転ジョイント２１ａを植栽地地面に圧接させながら正回転する事により、植栽予定地周囲の土壌を周囲に掃き出し逆円錐台形状の集水用窪地を形成する、或いは、塩類が地表に集積した塩害地での緑化では植栽地の地表塩類土壌の除去が可能となる。また逆回転により逆円錐台形状の集水用窪地を形成しながら植栽地周囲の土壌を圧密用に掻き寄せることが可能となる。
【００３４】
本発明は、上記実施形態にとらわれず、
（ａ）開口パイプが長軸に沿って分離可能に分割され、分割された各々のパイプの上部に孔又は凹凸からなる引抜体取付け部が設けられている事を特徴とする育苗用具。
(ｂ)掘削用具と引抜き体とを備え、
前記掘削用具は、回転ジョイントと中空オーガとを備え、
前記回転ジョイントは回転手段、オーガホルダー及び重機接続部を備え、
前記中空オーガは、請求項１に記載の育苗用具が挿入可能な中空径を有し、下方にはヒンジを介して開閉ヘッドが、外周には螺旋状にスクリュー羽根が形成され
前記引抜き体は、前記育苗用具の引抜き体取付け部に取り付け可能な取付け部品とワイヤーとを備えることを特徴とする植栽用具。  
（ｃ）前記オーガホルダーの外周にレーキブレードが配備されていることを特徴とする、上記（ｂ）の植栽用具。
を含む任意の構成を採用可能であり、その様な範囲を含むものである。
【産業上の利用可能性】
【００３５】
本発明に係る育苗用具、植栽用具により長根苗の育苗から安定土壌層に到達する長根苗の植栽まで一貫した簡便なシステムを提供することが出来、低コスト、活着・生存率が高く、大規模機械化が可能な乾燥地緑化技術として利用することが出来る。またレーキブレードが配備された掘削用具を使用する事で、世界の灌漑農地の２０%を占める塩集積地での地表塩層をレーキブレードで予め除去して塩害の及ばない安定土壌層に到達する長根苗を植栽する事により、塩集積農林地でのアグロフォレストリーへの途が拓ける。
【符号の説明】
【００３６】
１      育苗用具
２      分割パイプ
３      引抜き用具取付け部
４      結束帯
４ａ    サドルバンド
４ｂ    結束バンド
５      メッシュ
１０    植栽用具
２０    掘削用具
２１    回転ジョイント
２１ａ  レーキブレード付き回転ジョイント    
２２    回転手段
２３    オーガホルダー
２４    重機接続部
２５    中空オーガ
２６    ヒンジ
２７    開閉ヘッド
２７ａ  閉口状態の開閉ヘッド
２７ｂ  開口状態の開閉ヘッド
２８    スクリュー羽根
２９    レーキブレード
４０    引抜体
４１    取付け部品
４２    ワイヤー 
５０    重機
５１    操作手段
５２    昇降手段
５３    走行手段
５４    動力
５５    アタッチメント接続部
５６    油圧ホース
６０    長根苗
６１    地上部
６２    根鉢部
７０    土地、土壌
７１    表面土壌層
７２    安定土壌層
７３    掘削土壌
７４    筒状圧密層
７５    筒状空隙層
【図１】
2020103206.tif 000003
【図２】
2020103206.tif 000004
【図３】
2020103206.tif 000005
【図４】
2020103206.tif 000006
【図５】
2020103206.tif 000007
【図６】
2020103206.tif 000008